(57)【要約】【課題】浄化槽の内装部材を確実に安定固定する技術を提供すること。【解決手段】内装部材Ｓを被処理水中に浸漬自在に内装可能な水処理室Ｎを備えた浄化槽において、前記水処理室Ｎ底部に前記内装部材Ｓを支持する支持部１０を設け、前記内装部材Ｓ上方側に延出する固定用部材３０を前記水処理室に臨む上開口部の周縁部Ｈ１に取り付け可能に設け、前記内装部材Ｓに係止部２を設け、前記内装部材Ｓが前記支持部１０に固定された状態で、前記係止部２を係止する被係止部３１を前記固定用部材３０に設けた。【選択図】                図４
2004181411.tif 000002
【特許請求の範囲】
【請求項１】
内装部材を被処理水中に浸漬自在に内装可能な水処理室を備えた浄化槽の膜分離装置固定構造であって、
前記水処理室底部に前記内装部材を支持する支持部を設け、
前記内装部材上方側に延出する固定用部材を前記水処理室に臨む上開口部の周縁部に取り付け可能に設け、
前記内装部材に係止部を設け、
前記内装部材が前記支持部に固定された状態で、前記係止部を係止する被係止部を前記固定用部材に設けた浄化槽の内装部材固定構造。
【請求項２】
前記固定用部材を前記上開口部に取り付けた状態で、前記上開口部を介して前記内装部材を点検可能にする点検部を形成してある請求項１記載の浄化槽の内装部材固定構造。
【請求項３】
濾過膜を立設するケーシングを備え、前記ケーシングに立設した濾過膜に気泡を供給する散気装置を前記ケーシングに取り付け固定してある膜分離装置を、前記内装部材として設け、前記散気装置にエア供給する給気管を前記膜分離装置に立設し、前記給気管を上方に延設して係止部を形成してある請求項１又は２に記載の浄化槽の内装部材固定構造。
【発明の詳細な説明】
【０００１】
【発明の属する技術分野】
本発明は、浄化槽の内装部材固定構造に関する。
【０００２】
【従来の技術】
従来、浄化槽の内装部材は、浄化槽内部に設けられた隔壁や、浄化槽本体の内壁に取り付け固定したり、内装部材そのものを自立可能なケーシングに一体化し、そのケーシングを水処理室内に自立させて設けていた。たとえば、濾床を保持するための保持枠や、その濾床に散気するための散気装置は、前記隔壁や前記内壁に取り付けられ、一方、濾過膜を立設するケーシングを備え、前記ケーシングに立設した濾過膜に気泡を供給する散気装置を前記ケーシングに取り付け固定してある膜分離装置のような場合は、膜分離槽内に自立させて内装固定していた  （特許文献１参照）。
【０００３】
【特許文献１】
特開平０９−１３６０９３号公報
【０００４】
【発明が解決しようとする課題】
しかし、このような内装部材は、周辺環境の振動や、前記散気装置からの散気による気泡の衝突により振動され、取付位置がずれるおそれがある。取付位置がずれると、浄化槽内部の被処理水の流れが偏ったり、配管の接続が歪になったりして槽内の水処理機能が低下するおそれがある。そのため、これらの内装部材は前記水処理槽内に安定配置されることが望まれる。
たとえば、前記膜分離装置の場合は、散気による気泡が濾過膜に衝突すると、その衝撃により膜分離装置が振動する。この際、前記濾過膜には気泡が付着するなどして前記膜分離装置を浮揚させる力が発生しているからその振動に伴って前記膜分離装置が位置ずれしやすくなっている。そのため、長期使用に伴って前記膜分離装置が傾いてしまうようなことがあると、わずかな傾きであっても、前記濾過膜に一方の面にしか気泡が供給されなくなって、気泡による濾過面洗浄効果が十分に得られなくなることが考えられる。また、被処理水が気泡とともに上昇させられる流れが偏り、被処理水に滞留が生じて被処理水の生物処理効果が十分発揮されなくなったりすることが考えられる。
【０００５】
従って、本発明の目的は、上記欠点に鑑み、浄化槽の内装部材を確実に安定固定する技術を提供することにある。
【０００６】
【課題を解決するための手段】
この目的を達成するための本発明の浄化槽の内装部材固定構造の特徴構成は、内装部材を被処理水中に浸漬自在に内装可能な水処理室を備えた浄化槽の膜分離装置固定構造であって、
前記水処理室底部に前記内装部材を支持する支持部を設け、
前記内装部材上方側に延出する固定用部材を前記水処理室に臨む上開口部の周縁部に取り付け可能に設け、
前記内装部材に係止部を設け、
前記内装部材が前記支持部に固定された状態で、前記係止部を係止する被係止部を前記固定用部材に設けた点にある。
また、前記固定用部材を前記上開口部に取り付けた状態で、前記上開口部を介して前記内装部材を点検可能にする点検部を形成してあることが好ましく、
具体的には、濾過膜を立設するケーシングを備え、前記ケーシングに立設した濾過膜に気泡を供給する散気装置を前記ケーシングに取り付け固定してある膜分離装置を、前記内装部材として設け、前記散気装置にエア供給する給気管を前記膜分離装置に立設し、前記給気管を上方に延設して係止部を形成して構成することができる。
【０００７】
〔作用効果〕
つまり、内装部材を被処理水中に浸漬自在に内装可能な水処理室を備えた浄化槽において、前記水処理室底部に前記内装部材を支持する支持部を設けてあれば、前記内装部材は水処理室底部に安定支持される。一方、前記内装部材上方側に延出する固定用部材を前記水処理室に臨む上開口部の周縁部に取り付け可能に設けると、前記内装部材が前記固定用部材の下方に配置される位置関係で前記固定用部材を前記上開口部の周縁部に取り付けることができる。そこで、前記内装部材に係止部を設ける一方、前記内装部材が前記支持部に固定された状態で、前記係止部を係止する被係止部を前記固定用部材に設けてあると、前記係止部を前記被係止部に係止させた状態で、前記内装部材は、前記固定用部材と前記支持部との間で挟持されることになる。すると、前記内装部材に浮揚力が働いたとしても、前記係止部が前記被係止部で係止して浮揚防止される。そのため、前記支持部における前記内装部材に対する支持力は低下しにくく、前記支持部における前記内装部材の位置ずれが抑制される。従って、前記内装部材は浄化槽内部に確実に安定固定されることになる。
【０００８】
また、前記固定用部材は前記上開口部の周縁部に固定するから、前記内装部材の位置に応じてその固定用部材の取付位置を変更することができ
【０００９】
また、前記固定用部材を前記上開口部に取り付けた状態で、前記上開口部を介して前記内装部材を点検可能にする点検部を形成してあると、前記固定用部材により固定された内装部材が固定された状態で正常動作しているかどうかなどの点検が容易に行える。つまり、点検作業中も固定用部材により前記内装部材は確実固定されているので、固定用部材を取り外して点検作業を行わねばならないような場合には、点検作業中にのみ前記内装部材が不適正な動作をすることも考えられるのに対し、通常の運転状態を再現しながらの点検が行えることになる。そのため、浄化槽を信頼性高く運転することができるようになる。
【００１０】
尚、先述の膜分離装置を前記内装部材として設ける場合は、前記膜分離装置に気泡を供給することによって前記濾過膜の膜面の洗浄効果が得られるとともに、前記ケーシング内に、被処理水の上昇流を形成しつつ、前記ケーシングの外側に被処理水の下降流を形成し、前記水処理槽内における水処理効率を良好に維持できる。前記散気装置にエア供給する給気管を上方に延設して係止部を設けると、通常ブロワ等から給気を受ける給気管は、前記膜分離装置を上方側で固定する機能を持たないが、その給気管を介して前記膜分離装置を固定することができるようになり、既設の給気管を上方に延設するだけの簡単な改変により係止部を形成することができるとともに、前記膜分離装置の前記支持部に対する位置決め操作などの利便性を向上させることができる。
【００１１】
【発明の実施の形態】
以下に本発明の実施の形態を図面に基づいて説明する。
図３に示す水処理装置は、水処理装置を構成する沈澱分離流量調整槽Ｎ、膜分離槽Ｅ、消毒槽Ｑの各水処理槽を、個別に有する複数の浄化槽からなる。前記浄化槽は、図１，２に示すように、水処理槽を形成可能なケーシングからなる浄化槽本体Ｎ０，Ｅ０，Ｑ０を設け、その浄化槽本体Ｎ０，Ｅ０，Ｑ０に内装部材Ｓ，Ｍを被処理水中に浸漬自在に内装して、その水処理槽に対応した浄化槽に形成してある。これら浄化槽は、仮埋設された際に、被処理水流入部Ｉと、被処理水流出部Ｚとを形成する被処理水流通管形成部Ｋ，Ｋを互いに位置決めした後、配管接続され、マンホールとして閉塞される上部開口Ｈを残して完全に埋設した状態で水処理装置として用いられる。
【００１２】
図３，４に示すように、前記沈澱分離流量調整槽Ｎは、浄化槽本体Ｎ０に円筒状スクリーン部材Ｓを内装し、前記浄化槽本体Ｎ０の底部に形成された支持部１０に固定して、内部を外側、内側の２つの領域Ｎ１，Ｎ２に区分する。前記形成部Ｋ，Ｋにはそれぞれ被処理水流入管、被処理水流出管を設けてそれぞれ被処理水流入部および流出部を形成する。流入部Ｉから前記外側の領域Ｎ１に被処理水の原水が流入するとともに、前記スクリーン部材Ｓを通過して被処理水が前記内側の領域Ｎ２に流入する。前記内側の領域Ｎ２にはエアリフトポンプＡを設けてあり、流入した被処理水を流出部Ｚを介して浄化槽本体Ｎ１外へ移送自在に構成してある。
【００１３】
ここで、前記スクリーン部材Ｓは、前記水処理槽底部に設けられた支持部１０に固定されるとともに、前記スクリーンＳ上部を係止部２に形成して、前記水処理室に臨む上開口部Ｈの周縁部に着脱可能に設けた固定用部材３０に形成された被係止部３１に係止固定してある。
【００１４】
図５に示すように、前記膜分離槽Ｅは、浄化槽本体Ｅ０に膜分離装置Ｍを内装し、前記浄化槽本体Ｅ０の底部に形成された支持部１０に固定して構成してある。前記膜分離槽Ｅには、形成部Ｋに流入部Ｉを形成する流入管を取り付けて、沈澱分離流量調整槽Ｎからの被処理水を流入可能に構成するとともに、他の形成部Ｋに流出部Ｚを形成する流出管を取り付けて膜分離装置Ｍにより分離された被処理水を流出可能に構成する。
【００１５】
前記膜分離装置Ｍは、濾過膜Ｍ１を立設するケーシングＭ２を備え、前記ケーシングＭ２に立設した濾過膜Ｍ１に気泡を供給する散気装置Ｄを前記ケーシングＭ２に取り付け固定してある。また、前記散気装置Ｄは前記濾過膜Ｍ１の下方に横架姿勢で散気管Ｄ１を設けて、給気管Ｄ２から給気自在に構成してある。前記給気管Ｄ２は、前記ケーシングＭ２に固定した縦管を、下端部において屈曲させ散気管Ｄ１に延設して接続してある。一方、前記給気管Ｄ２は、上方側において槽外に設けられたブロワＢから給気導入自在に構成してある。また、前記膜分離装置Ｍの前記給気管Ｄ２と対向する側には、前記給気管Ｄ２と同形状の縦管Ｄ３を別途設けてある。
【００１６】
ここで、前記給気管Ｄ２の上端部は、前記上開口部Ｈ近傍にまで延設して、係止部Ｄ２１を形成してあるとともに、前記水処理室に臨む上開口部Ｈの周縁部Ｈ１に着脱可能に設けた固定用部材３０に形成された被係止部３２に係止固定してある。また、同様に前記縦管Ｄ３の上端に設けられる係止部Ｄ３１は、前記被係止部３２とは対称位置に設けられた被係止部３２に固定されている。
【００１７】
前記消毒槽Ｑは、前記膜分離装置Ｍによって分離された被処理水を受けて貯留する水処理室としての貯水部Ｑ１と、消毒剤Ｑ２と被処理水を接触させるための消毒部Ｑ３を仕切って設けてある。また、前記貯水部Ｑ１には被処理水を消毒部Ｑ３に移送するための移流ポンプを備える。前記消毒部Ｑ２に移流した被処理水は、前記消毒剤Ｑ２と接触後、前記消毒槽Ｑの外部に放流される。
【００１８】
前記支持部１０は、図１〜５に示すように、前記スクリーン部材Ｓと前記膜分離装置Ｍとのいずれであっても容易に固定支持可能な突部４１を前記浄化槽本体Ｎ０，Ｅ０，Ｑ０の底部に一体成形してあり、前記スクリーン部材Ｓは、前記突部４１の外周部に嵌合させて固定自在にするとともに、前記膜分離装置Ｍは、前記突部４１同士が対向する内面側に挟持させて固定自在にしてある。そのため、前記支持部１０を備えた浄化槽では、種々の内装部材Ｓ，Ｍを安定に支持できる。
【００１９】
前記固定用部材３０は、図１，２に示すように、前記上開口部Ｈに横架姿勢で配置可能に前記上開口部Ｈの周縁部に係合可能な屈曲部３３を端部に有する板状体から構成してあり、前記上開口部Ｈに取り付けた状態で上開口部Ｈ中央に位置する点検部３４を開口形成してある。また、前記点検部３４の縁部下方側には、前記スクリーン部材Ｓ上端部の係止部２に内嵌自在なフランジ部を設けるとともに、前記固定用部材３０を前記上開口部Ｈに取り付けた状態で、前記スクリーン部材Ｓの係止部２と係合自在な被係止部３１に構成してある。また、前記固定用部材３０には、前記上開口部Ｈ周縁部に取り付けた状態で、前記給気管Ｄ２上部に設けた係止部Ｄ２１を嵌入固定する被係止部３２を設けてある。そのため、前記固定用部材３０によると、種々の内装部材Ｓ，Ｍに対する被係止部３１，３２を有するために、種々の内装部材Ｓ，Ｍを確実に係止できる。
前記浄化槽Ｎ，Ｅは、前記固定用部材３０を前記上開口部Ｈに取り付けた状態で、その上開口部Ｈに蓋部材を取り付け、内装部材Ｓ，Ｍを完全に固定した状態にして用いられる。
【００２０】
〔別実施形態〕
以下に別実施形態を説明する。
上述の実施の形態においては、各水処理槽を個別に形成する浄化槽における内装部材固定構造を示したが、複数の水処理槽を備えてなる従来の浄化槽に適用することもできる。この場合、浄化槽の各水処理槽上方に設けられるマンホールを上開口部とし、各槽に対応した固定用部材を前記マンホールの周縁部に係合自在に設ければよい。また、いずれの場合であっても、前記固定用部材や、支持部は、単一の内装部材の形状のみに対応しているものであってもかまわない。
【図面の簡単な説明】
【図１】浄化槽の分解組み立て図
【図２】浄化槽本体の詳細図
【図３】水処理装置の縦断斜視図
【図４】沈澱分離流量調整槽の縦断側面図
【図５】膜分離槽の縦断側面図
【符号の説明】
Ｎ                          沈澱分離流量調整槽
Ｅ                        膜分離槽
Ｑ                          消毒槽
Ｎ０，Ｅ０，Ｑ０    浄化槽本体
Ｓ，Ｍ                  内装部材
Ｉ                          被処理水流入部
Ｚ                      被処理水流出部
Ｋ                          被処理水流通管形成部
Ｓ                            スクリーン部材
１０                      支持部
２                      係止部
３０                    固定用部材
３１                    被係止部
Ｍ１                    濾過膜
Ｄ２１                係止部
３２                  被係止部
【図１】
2004181411.tif 000003
【図２】
2004181411.tif 000004
【図３】
2004181411.tif 000005
【図４】
2004181411.tif 000006
【図５】
2004181411.tif 000007